(57)【特許請求の範囲】
【請求項１】
金属板材を断面略ロ字状に折曲し夫々の端部を結合して箱形端子金具を形成し、該箱形端子金具の上板部に穿設した螺孔に端子ねじを螺合し、端部に固定接点が設けられた端子座を前記箱形端子金具の内部の底板部に添装して成る回路遮断器の端子装置において、前記端子座は、前記端子ねじの回転により前記回路遮断器内に電線が引き込まれる長手方向に対して幅方向の端縁の少なくとも一方側に前記電線の進入を制限するストッパ部を一体に形成し、幅方向の端縁の他方側に前記電線を前記端子座の一方側へ誘う案内部を一体に形成したことを特徴とする回路遮断器の端子装置。
【発明の詳細な説明】
【０００１】
【発明の属する技術分野】
本発明は、回路遮断器のねじ締め式の端子装置に関する。
【０００２】
【従来の技術】
図５に示すように、金属板材を断面略ロ字状に折曲し夫々の端部を結合して箱形端子金具２２を形成し、箱形端子金具２２の上板部２２ａに穿設した螺孔２２ｂに端子ねじ２３を螺合し、端部に固定接点２４ａが設けられた端子座２４を箱形端子金具２２の内部の底板部２２ｃに添装して成る回路遮断器の端子装置２１は、端子ねじ２３の外形の半径以下の電線２５を箱形端子金具２２に挿入し固定する場合、電線２５の位置によって端子ねじ２３の回転により図６（ａ）に示すように電線２５が回路遮断器内に引き込まれたり、図６（ｂ）に示すように回路遮断器から押し出されたりする。電線２５が回路遮断器内に引き込まれると、端子ねじ２３の先端で電線２５の被覆を噛んだり、端子座２４に設けられた固定接点２４ａまで電線が挿入されると、主回路のオン・オフができないという問題があり、また、電線２５が回路遮断器から押し出される方向に移動すると、電線２５が堅固に固定されず外れる虞があった。
【０００３】
そこで、電線２５が固定接点２４ａまで挿入されるのを防止するために、従来は、図７に示すように端子座２４の短手方向に別部材のストッパ部材２６を垂設したり、図８に示すように端子座２４の短手方向に断面略Ｌ字状のストッパ部材２７を螺子２８により固定したり、図９に示すように遮断器ケース２９の一部を突出させて電線２５の進入防止リブ３０を形成していた。また、電線２５が回路遮断器から押し出されるのを防止するために、図９に示すように端子ねじ２３の先端と端子座２４との間に端子ねじ２３の回転が伝わらないようにするための線押さえ板３１を介在させていた。
【０００４】
【発明が解決しようとする課題】
上記従来の図７に端子装置と図８に示す端子装置は、部品点数が増加するためコストが高くなり、図９に示す端子装置は、進入防止リブに強い力が加わると破損する虞があり、線押さえ板３１を設けると、部品点数が増加しコストが高くなり、而も箱形端子金具の電線の挿入口が狭くなるので箱形端子金具を大きくする必要があった。
【０００５】
【課題を解決するための手段】
上記従来の回路遮断器の端子装置の問題点に鑑み、本発明の目的は、部品点数を増加させることなく、電線が回路遮断器内に過度に挿入されるのを防止するとともに、電線を確実に固定することができる回路遮断器の端子装置を提供するもので、その構造は、金属板材を断面略ロ字状に折曲し夫々の端部を結合して箱形端子金具を形成し、箱形端子金具の上板部に穿設した螺孔に端子ねじを螺合し、端部に固定接点が設けられた端子座を箱形端子金具の内部の底板部に添装して成る回路遮断器の端子装置において、端子座は、端子ねじの回転により電線が回路遮断器内に引き込まれる長手方向の端縁の少なくとも一方側に電線の進入を制限するストッパ部を一体に形成し、長手方向の端縁の他方側に電線を端子座の一方側へ誘う案内部を一体に形成したことである。
【０００６】
【発明の実施の形態】
本発明によれば、金属板材を断面略ロ字状に折曲し夫々の端部を結合して箱形端子金具を形成し、箱形端子金具の上板部に穿設した螺孔に端子ねじを螺合し、端部に固定接点が設けられた端子座を箱形端子金具の内部の底板部に添装して成る回路遮断器の端子装置において、端子座は、端子ねじの回転により電線が回路遮断器内に引き込まれる長手方向に対して幅方向の端縁の少なくとも一方側に電線の進入を制限するストッパ部を一体に形成し、幅方向の端縁の他方側に電線を端子座の一方側へ誘う案内部を一体に形成したことにより、部品点数を増加させることなく、電線が回路遮断器内に過度に挿入されるのを防止するとともに、電線を確実に固定することができる。
【０００７】
【実施例】
本発明に係る回路遮断器の端子装置の第１実施例を図１及び図２の添付図面に基づいて説明する。
【０００８】
回路遮断器（図示せず）の端子装置１は、金属板材を断面略ロ字状に折曲し夫々の端部を結合して箱形端子金具２を形成し、箱形端子金具２の上板部２ａに穿設した螺孔２ｂに端子ねじ３を螺合し、端部に固定接点４ａが設けられた端子座４を箱形端子金具２の内部の底板部２ｃに添装して構成している。
【０００９】
長板状の端子座４は、端子ねじ３の外形の半径以下の電線５を箱形端子金具２に挿入し固定する際に端子座４の長手方向の一方側４ｂでは端子ねじ３の回転により電線５が回路遮断器内に引き込まれる。この端子座４の一方側４ｂの一部に切り込みを入れてＬ字状に長手方向に切り起こし、電線５が回路遮断器内に過度に挿入されないように電線５の進入を制限するストッパ部４ｃを形成している。
【００１０】
また、端子座４の他方側４ｄの端縁を端子座４の一方側４ｂの端縁方向に２本の切り込みを入れて切り起こし、端子ねじ３を締め付けた際に電線５を一方側４ｂへ誘う案内部４ｅを複数箇所に形成している。
【００１１】
箱形端子金具２に挿入された電線５は、端子ねじ３を締め付けると案内部４ｅに沿って端子座４の一方側４ｂに案内されるので押し出されることはなく、更に端子ねじ３を締め付けてもストッパ部４ｃにより電線５が引き込まれるのを制限するので、確実に固定することができる。
【００１２】
本発明に係る回路遮断器の端子装置の第２実施例を図３及び図４の添付図面に基づいて説明する。
【００１３】
回路遮断器（図示せず）の端子装置１１は、金属板材を断面略ロ字状に折曲し夫々の端部を結合して箱形端子金具１２を形成し、箱形端子金具１２の上板部１２ａに穿設した螺孔１２ｂに端子ねじ１３を螺合し、端部に固定接点１４ａが設けられた端子座１４を箱形端子金具１２の内部の底板部１２ｃに添装して構成している。
【００１４】
端子座１４は、展開時に長手方向の両端縁から突出する部分を折曲して箱形端子金具１２に挿入した電線１５が回路遮断器内に過度に挿入されないように電線１５の進入を制限するストッパ部１４ｃを形成している。
【００１５】
端子ねじ１３の外形の半径以下の電線１５を箱形端子金具１２に挿入し固定する際に端子座４の長手方向の一方側４ｂでは端子ねじ１３の回転により電線１５が回路遮断器内に引き込まれる。この端子座１４の一方側１４ｂに向けて他方側１４ｄの端縁に２本の切り込みを入れて切り起こし、端子ねじ１３を締め付けた際に電線１５を一方側１４ｂへ誘う案内部１４ｅを形成している。
【００１６】
箱形端子金具１２に挿入された電線１５は、端子ねじ１３を締め付けると案内部１４ｅに沿って端子座１４の一方側１４ｂに案内されるので押し出されることはなく、更に端子ねじ１３を締め付けてもストッパ部１４ｃにより電線１５が引き込まれるのを制限するので、確実に固定することができる。
【００１７】
本実施例において、端子座４の幅方向の両端縁にストッパ部１４ｃを形成したが、電線１５を固定する際に端子ねじ１３の回転により電線１５が回路遮断器１１内に引き込まれる一方側だけにストッパ部１４ｃを形成しても良い。
【００１８】
【発明の効果】
以上のように本発明に係る回路遮断器の端子装置は、金属板材を断面略ロ字状に折曲し夫々の端部を結合して箱形端子金具を形成し、箱形端子金具の上板部に穿設した螺孔に端子ねじを螺合し、端部に固定接点が設けられた端子座を箱形端子金具の内部の底板部に添装して成る回路遮断器の端子装置において、端子座は、端子ねじの回転により電線が回路遮断器内に引き込まれる長手方向に対して幅方向の端縁の少なくとも一方側に電線の進入を制限するストッパ部を一体に形成し、幅方向の端縁の他方側に電線を端子座の一方側へ誘う案内部を一体に形成したことにより、部品点数を増加させることなく、電線が回路遮断器内に過度に挿入されるのを防止するとともに、電線を確実に固定することができるという効果がある。
【図面の簡単な説明】
【図１】  本発明の第１実施例に係る回路遮断器の端子装置を示す斜視図である。
【図２】  本発明の第１実施例に係る端子装置を示す分解斜視図である。
【図３】  本発明の第２実施例に係る回路遮断器の端子装置を示す斜視図である。
【図４】  本発明の第２実施例に係る端子装置を示す分解斜視図である。
【図５】  従来の回路遮断器の端子装置を示す斜視図である。
【図６】  従来の回路遮断器の端子装置において、（ａ）は電線が回路遮断器内に引き込まれる端子座の一方側に電線を接続する様子を示す平面図であり、（ｂ）は電線が回路遮断器から押し出される端子座の他方側に電線を接続する様子を示す平面図である。
【図７】  端子座にストッパ部材を垂設した従来の端子装置を示す縦断面図である。
【図８】  端子座に断面略Ｌ字状のストッパ部材を螺着した従来の端子装置を示す縦断面図である。
【図９】  電線の進入防止リブと線押さえ板を設けた従来の端子装置を示す縦断面図である。
【符号の説明】
１      端子装置
２      箱形端子金具
２ａ    上板部
２ｂ    螺孔
２ｃ    下板部
３      端子ねじ
４      端子座
４ａ    固定接点
４ｂ    一方側
４ｃ    ストッパ部
４ｄ    他方側
５      電線
【図１】
0004693141.tif 000002
【図２】
0004693141.tif 000003
【図３】
0004693141.tif 000004
【図４】
0004693141.tif 000005
【図５】
0004693141.tif 000006
【図６】
0004693141.tif 000007
【図７】
0004693141.tif 000008
【図８】
0004693141.tif 000009
【図９】
0004693141.tif 000010